(57)【要約】【課題】煙突から排出される燃焼排ガスの水銀濃度を安定的に規制値以下に保つ。【解決手段】燃焼排ガスの処理装置であって、燃焼炉１２と、燃焼炉１２にて生じた燃焼排ガス中に水銀除去用薬剤を投入する水銀除去用薬剤の投入装置３８と、燃焼炉１２にて生じた燃焼排ガス中にアルカリ薬剤を投入するアルカリ薬剤の投入装置５１と、水銀除去用薬剤の投入装置３８による燃焼排ガス中への水銀薬剤の投入量を制御するとともに、アルカリ薬剤の投入装置５１による燃焼排ガス中へのアルカリ薬剤の投入量を制御する制御装置４５とを備える。制御装置４５は、燃焼排ガス中の水銀濃度が異常に高くなった場合には、アルカリ薬剤の投入装置５１によるアルカリ薬剤の投入量を、燃焼排ガス中の水銀濃度が平常である場合に比べて減少させる。【選択図】図１
2019027671.tif 000002
【特許請求の範囲】
【請求項１】
燃焼炉と、
前記燃焼炉にて生じた燃焼排ガス中に水銀除去用薬剤を投入する水銀除去用薬剤の投入装置と、
前記燃焼炉にて生じた燃焼排ガス中にアルカリ薬剤を投入するアルカリ薬剤の投入装置と、
前記水銀除去用薬剤の投入装置による前記燃焼排ガス中への水銀薬剤の投入量を制御するとともに、前記アルカリ薬剤の投入装置による前記燃焼排ガス中へのアルカリ薬剤の投入量を制御する制御装置と、
を備え、
前記制御装置は、前記燃焼排ガス中の水銀濃度が異常に高くなった場合には、前記アルカリ薬剤の投入装置によるアルカリ薬剤の投入量を、前記燃焼排ガス中の水銀濃度が平常である場合に比べて減少させるものであることを特徴とする燃焼排ガスの処理装置。
【請求項２】
燃焼排ガス中の水銀含有飛灰を収集除去するための集塵装置をさらに備え、
水銀除去用薬剤の投入装置は、乾式の水銀除去用薬剤を燃焼排ガス中に投入するものであることを特徴とする請求項１に記載の燃焼排ガスの処理装置。
【請求項３】
燃焼排ガス中の水銀成分を洗浄除去するための洗浄装置をさらに備え、
水銀除去用薬剤の投入装置は、湿式の水銀除去用薬剤を前記洗浄装置のための洗浄水に添加して燃焼排ガス中に投入するものであることを特徴とする請求項１または２に記載の燃焼排ガスの処理装置。
【請求項４】
燃焼排ガス中の水銀濃度を検出するための水銀分析装置が、燃焼排ガスの排出経路における集塵装置または洗浄装置よりも上流側の位置に設けられていることを特徴とする請求項２または３に記載の燃焼排ガスの処理装置。
【発明の詳細な説明】
【技術分野】
【０００１】
本発明は、燃焼排ガスの処理装置に関し、特に燃焼排ガスから水銀を除去するための燃焼排ガスの処理装置に関する。
【背景技術】
【０００２】
廃棄物や石炭は、水銀を含むことがある。そこで、廃棄物や石炭を燃焼した場合に発生する燃焼排ガスは、大気汚染を防止する観点から、燃焼排ガス中に含まれる水銀濃度を監視し、燃焼排ガス中の水銀濃度が異常に増大したならば、そのことを早期に検出して対処することが必要である。
【０００３】
たとえば、ごみ焼却炉においては、日常的に焼却処理されているごみには水銀はほとんど含まれていない。このため、通常は特別な水銀対策を施さなくても、燃焼排ガス中の水銀濃度は問題のあるレベルには到達しない。しかし、照明用蛍光ランプや血圧計や体温計などの水銀を含有する廃棄物が焼却炉に投入されて燃焼される場合は、燃焼排ガス中の水銀量が急上昇する異常時になる。したがって、水銀異常時を早期に検出し、異常時の検出があったときにのみ特別な水銀除去対策を施して、燃焼排ガスから水銀を除去すれば足りる。
【０００４】
このような対策を施した装置として、特許文献１に記載されたものがある。この特許文献１に記載の装置では、煙道に流される排ガスに含まれる水銀の濃度を検出する水銀連続分析計と、水銀連続分析計により検出される水銀濃度が所定濃度を超えたときに、水銀吸着用の活性炭を煙道へ投入する経路を開く手段とを備える。
【０００５】
さらに、排ガス煙道には、水銀吸着用の活性炭を煙道へ投入するとは別に、アルカリ薬剤を投入し、燃焼排ガス中に含まれる塩化水素や硫黄酸化物などの酸性ガスをアルカリ薬剤と反応させることが行われている。
【先行技術文献】
【特許文献】
【０００６】
【特許文献１】特開平９−３０８８１７号公報
【発明の概要】
【発明が解決しようとする課題】
【０００７】
しかしながら、たとえば、ごみ焼却炉において、燃焼排ガス中の水銀濃度が急上昇した異常時であっても、水銀連続分析計による水銀濃度の検出は、時間を要する。このため、その検出の後に水銀吸着用薬剤を投入するまでに長時間を要するという問題がある。
【０００８】
また、燃焼排ガス中の水銀濃度が急上昇する異常時は、不定期且つ急激な上昇で規制値を超えるため、水銀吸着用薬剤を投入するタイミングを制御するのが難しい。
【０００９】
さらに、燃焼排ガス中に含まれる塩化水素や硫黄酸化物などの酸性ガスを除去するために投入されるアルカリ薬剤が、活性炭などの水銀吸着用薬剤による水銀吸着反応を阻害していることを、本発明者等は見出した。水銀吸着反応が阻害されると、その分だけ水銀濃度の抑制を達成できなくなる。
【００１０】
そこで、本発明は、このような問題点を解決して、煙突から排出される水銀濃度を安定的に規制値以下に保つことを目的とする。
【課題を解決するための手段】
【００１１】
この目的を達成するため本発明の燃焼排ガスの処理装置は、
燃焼炉と、
前記燃焼炉にて生じた燃焼排ガス中に水銀除去用薬剤を投入する水銀除去用薬剤の投入装置と、
前記燃焼炉にて生じた燃焼排ガス中にアルカリ薬剤を投入するアルカリ薬剤の投入装置と、
前記水銀除去用薬剤の投入装置による前記燃焼排ガス中への水銀薬剤の投入量を制御するとともに、前記アルカリ薬剤の投入装置による前記燃焼排ガス中へのアルカリ薬剤の投入量を制御する制御装置と、を備え、
前記制御装置は、前記燃焼排ガス中の水銀濃度が異常に高くなった場合には、前記アルカリ薬剤の投入装置によるアルカリ薬剤の投入量を、前記燃焼排ガス中の水銀濃度が平常である場合に比べて減少させるものであることを特徴とする。
【００１２】
本発明によれば、燃焼排ガス中の水銀含有飛灰を収集除去するための集塵装置をさらに備え、水銀除去用薬剤の投入装置は、乾式の水銀除去用薬剤を燃焼排ガス中に投入するものであることが好適である。
【００１３】
また本発明によれば、燃焼排ガス中の水銀成分を洗浄除去するための洗浄装置をさらに備え、水銀除去用薬剤の投入装置は、湿式の水銀除去用薬剤を前記洗浄装置のための洗浄水に添加して燃焼排ガス中に投入するものであることが好適である。
【００１４】
さらに本発明によれば、燃焼排ガス中の水銀濃度を検出するための水銀分析装置が、燃焼排ガスの排出経路における集塵装置または洗浄装置よりも上流側の位置に設けられていることが好適である。
【発明の効果】
【００１５】
本発明の燃焼排ガスの処理装置によれば、燃焼排ガス中の水銀濃度が平常時に比べて増大した場合には、アルカリ薬剤の投入装置によるアルカリ薬剤の投入量を減少させるものであるため、アルカリ薬剤が燃焼排ガス中の塩化水素を減少させる機能をある程度低下させながら、このアルカリ薬剤が活性炭などの水銀吸着用薬剤による水銀吸着反応を阻害することを緩和することができる。したがって、本発明の燃焼排ガスの処理装置によれば、煙突から排出される水銀濃度を安定的に規制値以下に保つことができる。
【００１６】
本発明の燃焼排ガスの処理装置によれば、燃焼排ガス中の水銀含有飛灰を収集除去するための集塵装置をさらに備え、水銀除去用薬剤の投入装置は、乾式の水銀除去用薬剤を燃焼排ガス中に投入するものであることで、この集塵装置において水銀除去用薬剤とアルカリ薬剤とが一緒に収集されても、同様に、アルカリ薬剤が燃焼排ガス中の塩化水素を減少させる機能をある程度低下させながら、このアルカリ薬剤が活性炭などの水銀吸着用薬剤による水銀吸着反応を阻害することを緩和することができる。したがって、本発明の燃焼排ガスの処理装置によれば、煙突から排出される水銀濃度を安定的に規制値以下に保つことができる。
【００１７】
本発明の燃焼排ガスの処理装置によれば、燃焼排ガス中の水銀成分を洗浄除去するための洗浄装置をさらに備え、水銀除去用薬剤の投入装置は、湿式の水銀除去用薬剤を前記洗浄装置のための洗浄水に添加して燃焼排ガス中に投入するものであることで、この洗浄装置において水銀除去用薬剤とアルカリ薬剤とが一緒に利用されても、アルカリ薬剤が燃焼排ガス中の塩化水素を減少させる機能をある程度低下させながら、このアルカリ薬剤がキレート剤などの水銀吸着用薬剤による水銀吸着反応を阻害することを緩和することができる。したがって、本発明の燃焼排ガスの処理装置によれば、煙突から排出される水銀濃度を安定的に規制値以下に保つことができる。
【００１８】
本発明の燃焼排ガスの処理装置によれば、燃焼排ガス中の水銀濃度の増大を検出するための水銀分析装置が、燃焼排ガスの排出経路における集塵装置または洗浄装置よりも上流側の位置に設けられていることで、燃焼排ガス中の水銀濃度の増大に応じて適切に水銀薬剤の投入量を設定できるとともに、アルカリ薬剤の投入量を適切に減少させることができる。したがって、本発明の燃焼排ガスの処理装置によれば、煙突から排出される水銀濃度を安定的に規制値以下に保つことができる。
【図面の簡単な説明】
【００１９】
【図１】本発明の実施の形態の燃焼排ガスの処理装置の構成を示す図である。
【図２】水銀除去率および酸性ガス成分濃度の検出結果の例を示す図である。
【図３】本発明の他の実施の形態の燃焼排ガスの処理装置の構成を示す図である。
【図４】本発明のさらに他の実施の形態の燃焼排ガスの処理装置の構成を示す図である。
【発明を実施するための形態】
【００２０】
（第１実施形態）
図１は、焼却炉の一例としてのごみ焼却装置１１からの燃焼排ガスの処理装置を示す。ごみ焼却装置１１は、焼却炉１２と、第１煙道１３と、第２煙道１４と、第３煙道１５と、第３煙道１５の下流端に設けられたガス排出口１６とを備える。排ガス経路３１は、ごみ焼却装置１１から煙突３２までの煙道である。排ガス経路３１には集塵装置としてのバグフィルタ３３が設置されている。図示の装置では、排ガス経路３１におけるバグフィルタ３３よりも上流側に、水銀除去用薬剤のための投入口３４が設けられている。水銀除去用薬剤タンク３５は、水銀除去用薬剤を貯留するためのタンクで、貯留している水銀除去用薬剤を、送給路３６および投入口３４を介して、排ガス経路３１内の燃焼排ガスに向けて投入（噴霧）することが可能である。送給路３６には、送給量を調節するためのロータリーバルブ３７が設けられている。水銀除去用薬剤の投入装置３８は、水銀除去用薬剤タンク３５、ロータリーバルブ３７、送給路３６によって構成されている。
【００２１】
水銀除去用薬剤としては、乾式薬剤である活性炭やヨウ素付着活性炭、硫黄付着活性炭が好適に用いられる。
【００２２】
排ガス経路３１における投入口３４は、ごみ焼却装置１１のガス排出口１６の下流側で、バグフィルタ３３よりも上流側に設けられている。また、第１の排ガスサンプリング口４１は、ごみ焼却装置１１のガス排出口１６の下流側で、投入口３４よりも上流側に設けられている。第１の水銀分析装置４２は、サンプリング口４１に連通するとともに、サンプルした排ガスにおける水銀の濃度を検出可能である。
【００２３】
排ガス経路３１におけるバグフィルタ３３よりも下流側には、第２の排ガスサンプリング口４３が設けられている。第２の水銀分析装置４４は、サンプリング口４３に連通するとともに、サンプルした排ガスにおける水銀の濃度を検出可能である。第２の水銀分析装置４４は、排ガス経路３１におけるバグフィルタ３３よりも後流側に設置されていればよく、煙突３２に設置されていることが好ましい。
【００２４】
第１および第２の水銀分析装置４２、４４としては、各種のもの（原子状水銀計、形態別水銀計、全量水銀計）を用いることができる。なかでも、第１の水銀分析装置４２は、国際公開第２０１６／１３６７１４号に記載のものを好適に用いることができる。この国際公開に記載の水銀分析装置は、サンプリングガスに含まれる０価の原子状水銀の量を検知し、サンプリングガスに含まれる可溶性水銀塩などの水銀化合物を構成する２価の水銀の量は検知しないものであって、２価の水銀の量は検知せず、０価の原子状水銀の量のみを検知することで、水銀量の正確な測定よりも水銀量の増大を迅速に検出できるようにしたものである。
【００２５】
制御装置４５は、第１および第２の水銀分析装置４２、４４からの検知信号を入力可能であるとともに、ロータリーバルブ３７の回転数を調節するためにこのロータリーバルブ３７へ制御信号を出力可能である。
【００２６】
図示の燃焼排ガスの処理装置には、さらに、排ガスへのアルカリ薬剤の投入装置５１が設けられている。この投入装置５１は、排ガス経路３１におけるバグフィルタ３３よりも上流側に設けられた投入口５２と、アルカリ薬剤を貯留するタンク５３と、タンク５３から投入口５２への送給路５４と、送給路５４に設けられたロータリーバルブ５５とを備えている。第１の酸性ガス成分濃度の検出装置５６は、投入口５２よりも上流側における排ガス経路３１の部分に設けられた第１のサンプリングガス口５７に連通している。第２の酸性ガス成分濃度の検出装置５８は、バグフィルタ３３よりも下流側における排ガス経路３１の部分に設けられた第２のサンプリングガス口５９に連通している。第１および第２の酸性ガス成分濃度の検出装置５６、５８としては、たとえば塩化水素の濃度を検出するものであって、詳細には公知の適宜のものを用いることができる。検出装置５６、５８からの検出信号は制御装置４５へ送られ、制御装置４５からの制御信号はロータリーバルブ５５の回転数調節のために用いられる。
【００２７】
上記構成の燃焼排ガスの処理装置の動作について説明する。ごみ焼却装置１１においては、上述のように日常的に焼却処理されているごみには水銀はほとんど含まれていない（例えば、０〜３０μｇ/ｍ３Ｎ）。そこで、平常時には、制御装置４５によってロータリーバルブ３７の回転数をわずかにすることで、燃焼排ガスに少量の水銀除去用薬剤を常時投入（例えば、１０〜５０ｍｇ／ｍ３Ｎ）するだけで足りる。
【００２８】
しかし、水銀を含有する廃棄物が焼却装置１１に投入されて燃焼される場合は、燃焼排ガス中の水銀量が急上昇（例えば、３０〜１０００μｇ／ｍ３Ｎ）する異常時になる。このことを第１の水銀分析装置４２にて迅速に検知し、ロータリーバルブ３７の回転数を上げて排ガス中に所要量の水銀除去用薬剤を投入する（例えば、５０〜５００ｍｇ／ｍ３Ｎ）。また、第２の水銀分析装置４４が規定値以上の水銀量を検知したときにも、同様にロータリーバルブ３７の回転数を上げて排ガス中に所要量の水銀除去用薬剤を投入する。すなわち、第１の水銀分析装置４２の検出結果によってフィードフォワード制御を行い、第２の水銀分析装置４４の検出結果によってフィードバック制御を行う。これらの制御は、いずれか一方のみとすることも可能であるが、両者を併用することによって、排ガス中の水銀をより確実に薬剤によって除去することができる。薬剤が活性炭である場合は、水銀は活性炭に吸着されて除去される。これらの制御は、具体的にはＰＩＤ制御やその他の適宜の制御形態とすることができる。
【００２９】
水銀を吸着した活性炭などの薬剤は、バグフィルタ３３におけるフィルタリング処理の対象となり、このバグフィルタ３３において排ガスから回収される。バグフィルタ３３にて回収された水銀含有薬剤は、適宜に系外へ排出される。詳細には、バグフィルタ３３においては、燃焼飛灰、水銀除去用薬剤、同薬剤と水銀との反応物などが捕集され、ダスト層としてフィルタに堆積される。そして、たとえば所定時間毎に、圧縮空気を利用した逆洗などにより、ダスト層の構成物が集塵灰として払い落とされる。払い落とされた集塵灰は、原則として系外に排出される。あるいは、払い落とされた集塵灰は、未利用の排ガス処理薬剤を含むため、空気搬送やコンベア搬送等により、集塵装置としてのバグフィルタ３３の上流に運ばれて、再利用されても良い。
【００３０】
一方、ごみ焼却装置１１からの燃焼排ガスには、酸性ガス成分としてのたとえば上記した塩化水素が含まれることがある。そこで、第１および第２の酸性ガス成分濃度の検出装置５６、５８によってその濃度を検出し、制御装置４５によってロータリーバルブ５５の回転数を調節することで、排ガス中にアルカリ薬剤を多量に投入し、酸性ガス成分との中和反応を起こさせる。反応生成物は、バグフィルタ３３によって捕集される。
【００３１】
アルカリ薬剤は、水酸化カルシウム（消石灰）や炭酸水素ナトリウム（重曹）、水酸化ドロマイトなどを好適に用いることができる。アルカリ薬剤を投入するための制御方式は、活性炭を投入するときの投入方法と同様とすることができる。すなわち、常時少量のアルカリ薬剤を投入するとともに、第１の酸性ガス成分濃度の検出装置５６の検出結果によってフィードフォワード制御を行い、第２の酸性ガス成分濃度の検出装置５８の検出結果によってフィードバック制御を行う。これらの制御は、いずれか一方のみとすることも可能であるが、両者を併用することによって、排ガス中の酸性ガス成分をより確実に薬剤によって除去することができる。これらの制御は、具体的にはＰＩＤ制御やその他の適宜の制御形態とする自動制御とすることができる。
【００３２】
例えば、水銀濃度検出値が平常時と比べて増大したときに、アルカリ薬剤の投入量を平常時に比べて減少させるためには、たとえば第２の酸性ガス成分濃度の検出装置５８の検出目標値を平常時と比べて上げればよい。特に、自動制御の場合、第２の酸性ガス成分濃度の検出装置５８の検出目標値を平常時と比べて上げることによって、アルカリ薬剤の投入量を平常時に比べて自動的に減少させることが出来る。
【００３３】
ところで、ごみ焼却装置１１からの燃焼排ガスに含まれる水銀は、水銀の形態別にみると、集塵装置であるバグフィルタ３３の上流において、７０〜９０質量％程度が２価水銀、残りは０価水銀の形態で存在するとされている。このうち、２価水銀は、燃焼排ガス中に含まれる塩化水素と反応して、バグフィルタに捕集され易い塩化水銀を生成する。
【００３４】
しかし、燃焼排ガス中にアルカリ薬剤が多く含まれている場合、アルカリ薬剤は、燃焼排ガス中の塩化水素を減少させるため、バグフィルタに捕集され易い塩化水銀を生成するのを阻害してしまう。
【００３５】
特に、燃焼排ガス中およびバグフィルタに堆積したダスト層にアルカリ薬剤が多く含まれていると、水銀除去用薬剤による水銀の吸着反応が活発に行われなくなる。詳細には、水銀除去用薬剤による水銀の吸着反応の一部は、バグフィルタ３３に堆積したダスト層で行われる。また、アルカリ薬剤と酸性ガス成分との反応の一部も、バグフィルタ３３に堆積したダスト層で行われる。従って、バグフィルタ３３に堆積したダスト層にアルカリ薬剤が多く含まれている場合、アルカリ薬剤がダスト層の塩化水素を減少させるため、燃焼排ガス中に含まれる塩化水素と２価水銀とが反応してバグフィルタに捕集され易い塩化水銀を生成するのを阻害してしまう。このため、ダスト層にアルカリ薬剤が多く含まれていると、水銀除去用薬剤による水銀の吸着反応が活発に行われなくなる。
【００３６】
その対策として、多量の水銀が検出されたことで平常時よりも水銀除去用薬剤の投入量が多くなった場合には、アルカリ薬剤の投入量を特別に少なくした状態で処理を行う。なお、アルカリ薬剤の投入量を特別に少なくするときには、第１の酸性ガス成分濃度の検出装置５６や第２の酸性ガス成分濃度の検出装置５８の検出結果を監視しながら、アルカリ薬剤の投入量を少なくしても問題が無いこと（煙突の排ガス規制値を超過しないこと）を確認する。
【００３７】
第１の酸性ガス成分濃度の検出装置５６は、排ガス経路３１における集塵装置としてのバグフィルタ３３よりも上流側に設置されていればよく、たとえば図示を省略した減温塔とバグフィルタ３３との間に設置されていることが好ましく、減温塔よりも上流側であることが更に好ましい。第２の酸性ガス成分濃度の検出装置５８は、排ガス経路３１におけるバグフィルタ３３よりも後流側に設置されていればよく、煙突３２に設置されていることが好ましい。
【００３８】
図２は、酸性ガス成分（塩化水素）の濃度の検出結果と、それに応じたアルカリ薬剤（消石灰）の投入量と、水銀除去率との測定例を示す。横軸は時刻を表す。縦軸は、酸性ガス成分濃度、アルカリ薬剤の投入量、水銀除去率を表す。６：００から１２：００の少し前までの午前中は、酸性ガス成分の濃度の上昇時に、それに応じてＰＩＤ制御によって、アルカリ薬剤の投入量が増大され、その結果としての濃度がふたたび低下している。このような酸性ガス成分の濃度の上昇とそれに応じたアルカリ薬剤の投入量の増大とが、午前中において発生している。
【００３９】
１２：００の少し前すなわち１１時過ぎくらいの頃には、酸性ガス成分の濃度が急激に増大する異常な状態となり、運転員の判断で多量のアルカリ薬剤が投入された。その結果、酸性ガス成分の濃度は急激に低下している。その後、１２：００の直後に再び酸性ガス成分の濃度が上昇を開始している。このとき、やや多めのアルカリ薬剤を１５：００の少し前まで継続して投入しており、その結果として酸性ガス成分の濃度は非常に低いレベルになっている。しかし、やや多めのアルカリ薬剤を継続して投入することで、水銀除去率の低下が発生している。
【００４０】
そこで、１５：００の少し前に、酸性ガス成分の濃度を監視しながらアルカリ薬剤の投入量をそれまでよりも低下させている。その結果、１５：００を過ぎたころから、水銀除去率は上昇して元のレベルまで戻っている。
【００４１】
その後は、アルカリ薬剤の投入量はＰＩＤ制御によって、午前中と同様の状態に戻っている。
【００４２】
以上により、図１に示された本発明の実施の形態の燃焼排ガスの処理装置によれば、燃焼排ガス中の水銀濃度が平常時に比べて増大したときに水銀除去用薬剤の投入装置による水銀薬剤の投入量を平常時に比べて増大させる場合に、それ以外の場合に比べてアルカリ薬剤の投入量を減少させるものであるため、アルカリ薬剤が活性炭などの水銀吸着用薬剤による水銀吸着反応を阻害することを緩和することができ、所要の水銀除去率を保つことができる。
【００４３】
（第２実施形態）
図３は、本発明の他の実施の形態の燃焼排ガスの処理装置を示す。この処理装置は、これまでに説明した活性炭投入する乾式方式の処理装置とは異なる、キレート剤を投入（洗浄水に添加）する湿式方式の処理装置である。この処理装置では、上述の処理装置におけるバグフィルタ３３および水銀除去薬剤の投入装置３８とは異なり、排ガス経路３１に洗浄装置６１が設けられている。そして洗浄装置６１には、水銀除去用キレート剤を貯留した水銀除去用キレートタンク６２と、アルカリ薬剤（例えば苛性ソーダ水のような液状アルカリ薬剤）を貯留したアルカリ薬剤タンク６３とが併設されている。水銀除去用キレートタンク６２内の水銀除去用キレート剤及びアルカリ薬剤タンク６３内のアルカリ薬剤は、このキレート剤及びアルカリ薬剤を含む洗浄水の形態で、制御装置４５によって開度が調節されるバルブ６４を経由して洗浄装置６１に投入されるようになっている。なお、洗浄装置６１の洗浄水は、連続的に適量の新しい洗浄水と入れ替えて、洗浄水に含まれる水銀を回収する。
【００４４】
水銀除去用キレートタンク６２に貯留されている水銀除去用キレート剤は、洗浄装置６１に投入されると、燃焼排ガス中の水銀を取り込んでキレート錯体を形成することができるものである。洗浄装置６１においては、アルカリ薬剤タンク６３からのアルカリ薬剤が投入されて、燃焼排ガス中の酸性ガスが除去される。図３に示された系においても、図１に示された処理装置の場合と同様に、多量の水銀が検出されたことで平常時よりも水銀除去用キレート剤の投入量が多くなった場合には、アルカリ薬剤の投入量を特別に少なくした状態で処理を行うことで、水銀除去率の低下を防止することができる。
【００４５】
（第３実施形態）
図４は、本発明のさらに他の実施の形態の燃焼排ガスの処理装置を示す。図４の装置では、図１に示された装置に加えて、ごみ焼却装置１１に、燃焼炉１２にて生じた燃焼排ガスを熱交換するための熱交換装置としての過熱器ボイラ管１７と、過熱器ボイラ管１７に堆積した水銀含有飛灰を払い落とすための飛灰除去装置としてのスートブロワ２１とを備えた構成となっている。２４は、スートブロワのための開閉弁、２７は、スートブロワ制御装置で、開閉弁２４の動作を制御するためのものである。スートブロワ制御装置２７は、制御装置４５との間で信号の授受が可能である。
【００４６】
図４に示される装置においては、図１の装置と同様に、後述のスートブロワ２１による払落作業を行わないときには、水銀を含有する廃棄物をゴミ焼却装置１１にて焼却することによる水銀濃度の上昇の際に、アルカリ薬剤の投入量を特別に少なくした状態で処理を行う。
【００４７】
それに加えて、図４に示される装置において、ごみ焼却装置１１の第３煙道１５の過熱器ボイラ管１７には、ごみ焼却装置１１の焼却炉１２にてごみが焼却された際に発生する飛灰が堆積する。そして、過熱器ボイラ管１７は、飛灰が堆積することで、熱回収効率が低下するとともに、堆積飛灰中に含まれる塩化水素成分によって配管が腐食されるおそれがある。このため、スートブロワ２１によって定期的に堆積飛灰を払い落とす作業を行う必要がある。このスートブロワ２１による払落作業は、たとえば過熱器ボイラ管１７に蒸気を吹き付けることなどによって実施する。この作業を３０分〜１時間程度かけて実施することで、堆積飛灰を払い落とすことができる。
【００４８】
焼却炉１２において水銀含有物が焼却されることで、過熱器ボイラ管１７の堆積飛灰中に水銀が含まれることになる。
【００４９】
以上より、塩化水素成分および水銀を含有した堆積飛灰の払い落としを行うと、払い落とされた飛灰が、ごみ焼却装置１１のガス排出口１６から排ガス経路３１に排出される。
【００５０】
すると、第１の水銀分析装置４２および第２の水銀分析装置４４により検出される水銀濃度が上昇する。このとき、それに応じて上記と同様に投入装置３８から排ガス中に大量の水銀除去用薬剤を投入することで、堆積飛灰の払落作業時に飛散した水銀を回収することができる。このとき、前出の実施の形態の場合と同様に、問題のない範囲でアルカリ薬剤の投入量を特別に少なくした状態で処理を行うことで、水銀除去率の低下を防止することができる。
【００５１】
本発明によれば、ごみ焼却装置１１からの燃焼排ガスにおいて、上記以外の何らかの原因により水銀濃度が上昇したときにも、同様にアルカリ薬剤の投入量を特別に少なくした状態で処理を行うことで、水銀除去率の低下を防止することができる。
【００５２】
（その他）
上述の各実施の形態のいずれにおいても、排ガス経路３１に沿ったバグフィルタ３３よりも下流側に、活性炭吸着塔を設置することができる。
【００５３】
上記においては、水銀を除去すべき燃焼排ガスの発生源としてごみ焼却装置を例示した。しかし、本発明は、これに限られるものではなく、石炭の燃焼装置などの他の装置からの燃焼排ガスに対しても適用することができる。
【００５４】
上述の各実施の形態のいずれにおいても、バグフィルタ３３、または排ガス経路３１におけるそれよりも上流側の任意の位置に、バグフィルタ３３におけるダスト層の厚みを調整するための助剤を投入可能な構成を採用することができる。助剤としては、日立造船社製の「バグエース（登録商標）」や活性炭などを、好ましく用いることができる。
【００５５】
上述の各実施の形態のいずれにおいても、水銀除去用薬剤の投入装置としてロータリーバルブを例示したが、薬剤の投入量を制御できるものであれば良く、テーブルフィーダにより切り出された薬剤をブロワ―により空気搬送する装置等を用いることができる。
【００５６】
なお、上記説明した各構成は、相互に矛盾しない範囲内において、適宜組み合わせることができる。例えば、回収装置として、乾式の処理装置および湿式の処理装置の両方を備える燃焼排ガスの処理装置であっても良い。
【符号の説明】
【００５７】
１１    ごみ焼却装置
１２    燃焼炉
３１    排ガス経路
３３    バグフィルタ（集塵装置）
３８    水銀除去用薬剤の投入装置
４２    第１の水銀分析装置
４４    第２の水銀分析装置
４５    制御装置
５１    アルカリ薬剤の投入装置
６１    洗浄装置
６２    水銀除去用キレートタンク
６３    アルカリタンク
【図１】
2019027671.tif 000003
【図２】
2019027671.tif 000004
【図３】
2019027671.tif 000005
【図４】
2019027671.tif 000006